(57)【要約】【課題】一般ユーザに対して不安を与えないように異常を報知する。【解決手段】この空気調和機は、リモコンから送信される故障診断要求信号の種類に応じて、ユーザ故障診断を実行するかサービスマン故障診断を実行するか判断する（ステップＳ２３）。そして、ユーザ故障診断を実行する場合には（ステップＳ２３：Ｙｅｓ）、現在異常が発生しているか否かを判断して（ステップＳ２４）、現在発生中の異常に係る異常コードのみをリモコンに送信する（ステップＳ２６）。一方、サービスマン故障診断を実行する場合には（ステップＳ２３：Ｎｏ）、現在発生中の異常に係る異常コード、過去発生した異常に係る異常コード、及び、これらの異常より異常レベルが低い異常に係る異常コードを当該リモコンに送信する（ステップＳ２８）。【選択図】図７
2010121869.tif 000002
【特許請求の範囲】
【請求項１】
リモコンから送信される故障診断要求信号に対して故障診断結果情報を出力する室内機であって、
前記リモコンから送信される複数種類の故障診断要求信号を受信可能な受信手段と、
前記受信手段により受信された故障診断要求信号の種類に応じて、異なる故障診断結果情報を出力可能な出力手段とを備えることを特徴とする、室内機。
【請求項２】
前記複数種類の故障診断要求信号には、前記受信手段により前記故障診断要求信号を受信したときに発生している異常内容だけを要求する第１の故障診断要求信号が含まれることを特徴とする、請求項１に記載の室内機。
【請求項３】
前記室内機において異常が発生していることを報知する異常報知手段をさらに備え、
前記出力手段は、前記受信手段により前記第１の故障診断要求信号が受信された場合には、前記異常報知手段が異常を報知しているときにだけ、前記故障診断結果情報を出力することを特徴とする、請求項２に記載の室内機。
【請求項４】
前記複数種類の故障診断要求信号には、前記受信手段により前記故障診断要求信号を受信したときに発生している異常内容と、当該故障診断要求信号を受信する前に発生した異常内容とを要求する第２の故障診断要求信号が含まれることを特徴とする、請求項１〜３のいずれか１項に記載の室内機。
【請求項５】
前記リモコンと前記室内機とは双方向通信可能であって、
前記出力手段は、前記リモコンに設けられる診断結果報知手段に対して故障診断結果情報を出力することを特徴とする、請求項１〜４のいずれか１項に記載の室内機。
【請求項６】
前記リモコンは前記室内機に対して片方向通信可能であって、
前記出力手段は、前記室内機に設けられる診断結果報知手段に対して故障診断結果情報を出力することを特徴とする、請求項１〜４のいずれか１項に記載の室内機。
【請求項７】
前記故障診断要求信号は、所定の異常内容に対応した異常コードを含んでおり、
前記異常コードに係る異常内容と当該故障診断要求信号を受信したときに発生している異常内容とが一致する場合に、前記出力手段は前記診断結果報知手段に対して故障診断結果情報を出力することを特徴とする、請求項６に記載の室内機。
【請求項８】
前記複数種類の故障診断要求信号は、それぞれ異なる前記リモコンの操作が行われたときに送信されることを特徴とする、請求項１〜７のいずれか１項に記載の室内機。
【請求項９】
前記リモコンには、送信される前記故障診断要求信号の種類を指定する指定手段（ハード的及びソフト的なもの含む）が設けられ、
前記リモコンは、前記指定手段により指定された種類の故障診断要求信号を送信することを特徴とする、請求項１〜７のいずれか１項に記載の室内機。
【請求項１０】
請求項１〜９のいずれか１項に記載の室内機と、
前記室内機と通信可能に接続される室外機とを含むことを特徴とする、空気調和機。
【発明の詳細な説明】
【技術分野】
【０００１】
本発明は、故障要因を特定するための故障診断機能を有する室内機及び空気調和機に関する。
【背景技術】
【０００２】
従来、空気調和機等の修理や点検を行うサービスマンのために、リモコンから送信される故障診断要求信号に対して、現在発生している異常や過去発生した異常を出力する空気調和機等が知られている（例えば、特許文献１及び２参照）。このような、故障要因を特定するための故障診断は、修理や点検の専門家たるサービスマンが行う作業であって、一般ユーザに対してその操作方法は開示されていないのが一般的であった。
【特許文献１】特開平１１−２４８２８６号公報
【特許文献２】特開２００２−８９９４４号公報
【発明の開示】
【発明が解決しようとする課題】
【０００３】
上記特許文献１及び２では、故障診断の実行により異常が検知された場合には、ランプやＬＥＤの点滅等の方法によって異常が発見されたことをユーザに報知している。このため、一般ユーザは異常が発生しているという事実のみを知るだけで、その異常内容は一般ユーザに知らされていない。
【０００４】
そこで、一般ユーザに対しても異常内容を報知する空気調和機が提案されるが、一般ユーザに対して、サービスマンと同様にあらゆる異常（過去発生した異常や空気調和機の運転に支障をきたさない程度の異常レベルが低い異常等）を報知するとなれば、無用に一般ユーザの不安をあおるため、適切でない。
【０００５】
そこで、この発明は、上記のような課題を解決するためになされたものであり、一般ユーザに対して不安を与えないように異常を報知することが可能な室内機及びその室内機を備えた空気調和機を提供することを目的とする。
【課題を解決するための手段】
【０００６】
第１の発明にかかる室内機は、リモコンから送信される故障診断要求信号に対して故障診断結果情報を出力する室内機であって、リモコンから送信される複数種類の故障診断要求信号を受信可能な受信手段と、受信手段により受信された故障診断要求信号の種類に応じて、異なる故障診断結果情報を出力可能な出力手段とを備えている。
【０００７】
この室内機では、故障診断要求信号の種類に応じて、異なる故障診断結果情報を出力することができる。従って、例えば、一般ユーザの操作に係る故障診断要求に基づいて出力される故障診断結果情報の内容を、サービスマンの操作に係る故障診断要求に基づいて出力される故障診断結果情報の内容より制限するという制御が可能となる。これにより、一般ユーザに対しては、不安を与えない程度の異常を報知することができると共に、サービスマンに対しては、上記異常に加えて、過去の異常などの詳細な情報を報知することができる。
【０００８】
第２の発明にかかる室内機は、第１の発明にかかる室内機において、複数種類の故障診断要求信号には、受信手段により故障診断要求信号を受信したときに発生している異常内容だけを要求する第１の故障診断要求信号が含まれる。
【０００９】
この室内機では、受信手段が故障診断要求信号を受信したときに発生している現在発生中の異常内容のみを報知することができる。つまり、一般ユーザが第１の故障診断要求信号を送信するものとすれば、その一般ユーザに対して、現在発生中の異常内容のみを報知することができる。
【００１０】
第３の発明にかかる室内機は、第２の発明にかかる室内機において、室内機において異常が発生していることを報知する異常報知手段をさらに備えている。そして、出力手段は、受信手段により第１の故障診断要求信号が受信された場合には、異常報知手段が異常を報知しているときにだけ、故障診断結果情報を出力する。
【００１１】
この室内機では、異常報知手段を設けることにより、一般ユーザやサービスマンに対して室内機において異常が発生していることを報知することができる。これにより、一般ユーザは、第１の故障診断要求信号を送信することにより、受信手段が当該第１の故障診断要求信号を受信したときに発生している現在発生中の異常のみを知ることができる。つまり、異常報知手段の報知により室内機の異常を認識した一般ユーザに対して、現在発生中の異常のみを報知することができる。
【００１２】
第４の発明にかかる室内機は、第１〜第３のいずれかの発明にかかる室内機において、複数種類の故障診断要求信号には、受信手段により故障診断要求信号を受信したときに発生している異常内容と、当該故障診断要求信号を受信する前に発生した異常内容とを要求する第２の故障診断要求信号が含まれる。
【００１３】
この室内機では、受信手段が故障診断要求信号を受信したときに発生している現在発生中の異常内容だけでなく、受信手段が故障診断要求信号を受信する前に発生した異常内容を報知することができる。つまり、サービスマンが第２の故障診断要求信号を送信するものとすれば、そのサービスマンに対して、現在発生中の異常内容及び過去発生した異常内容という詳細な異常内容を報知することができる。
【００１４】
第５の発明にかかる室内機は、第１〜４のいずれかの発明にかかる室内機において、リモコンと室内機とは双方向通信可能であって、出力手段は、リモコンに設けられる診断結果報知手段に対して故障診断結果情報を出力する。
【００１５】
これにより、一般ユーザ及びサービスマンは、手元にあるリモコンに設けられる診断結果報知手段によって故障診断結果情報を得ることができる。
【００１６】
第６の発明にかかる室内機は、第１〜第４のいずれかの発明にかかる室内機において、リモコンは室内機に対して片方向通信可能であって、出力手段は、室内機に設けられる診断結果報知手段に対して故障診断結果情報を出力する。
【００１７】
これにより、室内機に対して片方向通信可能なリモコンを用いても、室内機に設けられる診断結果報知手段によって故障診断結果情報を得ることができる。
【００１８】
第７の発明にかかる室内機は、第６の発明にかかる室内機において、故障診断要求信号は、所定の異常内容に対応した異常コードを含んでおり、異常コードに係る異常内容と当該故障診断要求信号を受信したときに発生している異常内容とが一致する場合に、出力手段は診断結果報知手段に対して故障診断結果情報を出力する。
【００１９】
この室内機では、故障診断要求信号に異常コードが含まれていれば、室内機において現在発生中の異常内容と異常コードに係る異常内容との一致又は不一致を判断するだけで、一般ユーザ及びサービスマンに現在発生している異常内容を報知することができる。
【００２０】
第８の発明にかかる室内機は、第１〜第７のいずれかの発明にかかる室内機において、複数種類の故障診断要求信号は、それぞれ異なるリモコンの操作が行われたときに送信される。
【００２１】
この室内機では、リモコンの操作方法の違いによって、送信される故障診断要求信号の種類が変わるので、一般ユーザが行う故障診断とサービスマンが行う故障診断とを分けることができる。
【００２２】
第９の発明にかかる室内機は、第１〜第７のいずれかの発明にかかる室内機において、リモコンには、送信される故障診断要求信号の種類を指定する指定手段が設けられ、リモコンは、指定手段により指定された種類の故障診断要求信号を送信する。
【００２３】
この室内機では、一般ユーザが使用するリモコンとサービスマンが使用するリモコンとの設定を変えておくことにより、一般ユーザがサービスマンが行う故障診断を行ってしまうのを確実に防止することができる。
【００２４】
第１０の発明にかかる空気調和機は、第１〜第９のいずれかの発明にかかる室内機と、室内機と通信可能に接続される室外機とを含む。
【００２５】
この空気調和機では、室内機と室外機とが通信可能に接続されているので、室内機だけでなく室外機の故障診断も行うことができる。
【発明の効果】
【００２６】
以上の説明に述べたように、本発明によれば、以下の効果が得られる。
【００２７】
第１の発明では、故障診断要求信号の種類に応じて、異なる故障診断結果情報を出力することができる。従って、例えば、一般ユーザの操作に係る故障診断要求に基づいて出力される故障診断結果情報の内容を、サービスマンの操作に係る故障診断要求に基づいて出力される故障診断結果情報の内容より制限するという制御が可能となる。これにより、一般ユーザに対しては、不安を与えない程度の異常を報知することができると共に、サービスマンに対しては、上記異常に加えて、過去の異常などの詳細な情報を報知することができる。
【００２８】
また、第２の発明では、受信手段が故障診断要求信号を受信したときに発生している現在発生中の異常内容のみを報知することができる。つまり、一般ユーザが第１の故障診断要求信号を送信するものとすれば、その一般ユーザに対して、現在発生中の異常内容のみを報知することができる。
【００２９】
また、第３の発明では、異常報知手段を設けることにより、一般ユーザやサービスマンに対して室内機において異常が発生していることを報知することができる。これにより、一般ユーザは、第１の故障診断要求信号を送信することにより、受信手段が当該第１の故障診断要求信号を受信したときに発生している現在発生中の異常のみを知ることができる。つまり、異常報知手段の報知により室内機の異常を認識した一般ユーザに対して、現在発生中の異常のみを報知することができる。
【００３０】
また、第４の発明では、受信手段が故障診断要求信号を受信したときに発生している現在発生中の異常内容だけでなく、受信手段が故障診断要求信号を受信する前に発生した異常内容を報知することができる。つまり、サービスマンが第２の故障診断要求信号を送信するものとすれば、そのサービスマンに対して、現在発生中の異常内容及び過去発生した異常内容という詳細な異常内容を報知することができる。
【００３１】
また、第５の発明では、一般ユーザ及びサービスマンは、手元にあるリモコンに設けられる診断結果報知手段によって故障診断結果情報を得ることができる。
【００３２】
また、第６の発明では、室内機に対して片方向通信可能なリモコンを用いても、室内機に設けられる診断結果報知手段によって故障診断結果情報を得ることができる。
【００３３】
また、第７の発明では、故障診断要求信号に異常コードが含まれていれば、室内機において現在発生中の異常内容と異常コードに係る異常内容との一致又は不一致を判断するだけで、一般ユーザ及びサービスマンに現在発生している異常内容を報知することができる。
【００３４】
また、第８の発明では、リモコンの操作方法の違いによって、送信される故障診断要求信号の種類が変わるので、一般ユーザが行う故障診断とサービスマンが行う故障診断とを分けることができる。
【００３５】
また、第９の発明では、一般ユーザが使用するリモコンとサービスマンが使用するリモコンとの設定を変えておくことにより、一般ユーザがサービスマンが行う故障診断を行ってしまうのを確実に防止することができる。
【００３６】
また、第１０の発明では、室内機と室外機とが通信可能に接続されているので、室内機だけでなく室外機の故障診断も行うことができる。
【発明を実施するための最良の形態】
【００３７】
以下、図面に基づいて、本発明に係る空気調和機の実施形態について説明する。
【００３８】
（第１実施形態）
図１は、本発明の第１実施形態に係る空気調和機の全体構成を示した斜視図である。図２は、図１に示した空気調和機のブロック図である。図３及び図４は、図１に示した空気調和機のリモコンを示した正面図である。図５は、ユーザ故障診断を実行するための操作方法及び表示画面を示した図であり、図６は、サービスマン故障診断を実行するための操作方法及び表示画面を示した図である。以下、図１〜図６を参照して、本発明の第１実施形態に係る空気調和機１について詳細に説明する。
【００３９】
この空気調和機１は、図１に示すように、室内の壁面等に設置される室内機１ａと、室外に設置される室外機１ｂと、室内機１ａとの間で通信可能なリモコン１ｃとを備えている。そして、室内機１ａの前面には、室内機１ａが運転しているか否かを表示する運転ＬＥＤ１０、及び、リモコン１ｃとの間で信号の送受信を行う赤外線送受信部１１が設けられている。この運転ＬＥＤ１０及び赤外線送受信部１１は、図２に示すように、室内機１ａの各部の動作を制御する制御部１２に接続されている。この制御部１２は、室外機１ｂに設けられる圧縮機２０や室外ファン２１などの動作を統括する制御部２２に接続されている。
【００４０】
本実施形態の空気調和機１は、故障診断機能を有しており、室内機１ａ又は室外機１ｂにおける故障要因を特定することが可能である。この故障診断では、空気調和機１の電源復帰が必要となるような異常や、運転を継続しても問題ないような異常レベルの低い異常を検知することが可能である。本実施形態の空気調和機１における故障診断には、「ユーザ故障診断」と「サービスマン故障診断」との２種類が存在し、「ユーザ故障診断」において出力される故障診断結果情報の内容は、「サービスマン故障診断」において出力される故障診断結果情報の内容に比べて制限が加わっている。この故障診断の詳細については後述する。
【００４１】
そして、本実施形態では、前述した故障診断により検知された異常は、室内機１ａの制御部１２に設けられる記憶部１２ａや室外機１ｂの制御部２２に設けられる記憶部２２ａに記憶される。これらの記憶部１２ａ及び２２ａには、過去に発生した異常を順次追記した異常履歴が記憶されている。
【００４２】
運転ＬＥＤ１０は、空気調和機１が空調運転等を行っている場合に点灯すると共に、空気調和機１が空調運転等を行っていない場合に消灯する。そして、本実施形態では、空気調和機１に異常が発生した場合には、運転ＬＥＤ１０は点滅する。従って、一般ユーザやサービスマンは、運転ＬＥＤ１０が点滅しているのを見て、現在異常が発生しているのを認識することができる。
【００４３】
赤外線送受信部１１は、リモコン１ｃの赤外線送受信部３２と双方向通信可能である。そして、本実施形態では、赤外線送受信部１１は、リモコン１ｃから送信される故障診断要求信号を受信すると共に、故障診断結果情報をリモコン１ｃの赤外線送受信部３２に送信する。
【００４４】
リモコン１ｃは、室内機１ａ及び室外機１ｂの制御に係る各種指令をユーザの操作に応じて送信し、図３及び図４に示すように、室内温度や設定温度等を表示する表示部３０と、各種ボタンが配置された操作部３１と、赤外線送受信部３２（図２参照）とを備えている。この表示部３０、操作部３１及び赤外線送受信部３２は、図２に示すように、リモコン１ｃの制御部３３に接続されている。
【００４５】
図５及び図６に示すように、表示部３０には、「ユーザ故障診断」又は「サービスマン故障診断」が実行されると、故障診断結果情報に係る異常コード（図中では「Ａ１」）や正常コード（例えば、「００」）が表示される。この異常コードは、空気調和機１で発生する異常内容と対応しており、具体的には、１２Ｖ電源異常に係る異常コード「Ａ１」、圧縮機２０の異常に係る異常コード「Ｅ６」、室外ファン２１の異常に係る異常コード「Ｅ７」、室内機１ａと室外機１ｂとの間の伝送異常に係る異常コード「Ｕ４」等がある。
【００４６】
また、操作部３１は、開閉可能な蓋部３４の外側に配置される運転／停止ボタン３１ａ，温度調整ボタン３１ｂ及び湿度調整ボタン３１ｃ等（図３参照）を有すると共に、当該蓋部３４の内側に配置されるメニューボタン３１ｄ，決定ボタン３１ｅ，終了／取消ボタン３１ｆ及び選択ボタン３１ｇ等（図４参照）を有している。
【００４７】
赤外線送受信部３２は、上記した室内機１ａの赤外線送受信部１１と双方向通信が可能であって、空気調和機１の各種動作を制御する信号を室内機１ａの赤外線送受信部１１に送信する機能、及び、室内機１ａの赤外線送受信部１１から送信される信号（例えば、室内温度に係る信号や湿度に係る信号）を受信する機能を有している。
【００４８】
そして、本実施形態では、図５に示すように、終了／取消ボタン３１ｆを長押することによって、当該リモコン１ｃからユーザ故障診断に係る信号（以下、第１の故障診断要求信号とする）が室内機１ａに送信されて、「ユーザ故障診断」が実行される。また、本実施形態では、図６に示すように、メニューボタン３１ｄを長押することによって表示される選択画面において、選択ボタン３１ｇを押下することによりカーソルを「故障診断」を移動させ、決定ボタン３１ｅにより「故障診断」を選択することによって、当該リモコン１ｃからサービスマン故障診断に係る信号（以下、第２の故障診断要求信号とする）が室内機１ａに送信されて、「サービスマン故障診断」が実行される。そして、「ユーザ故障診断」又は「サービスマン故障診断」が実行されると、故障診断結果情報に係る異常コード（図中では「Ａ１」）や正常コード（例えば、「００」）がリモコン１ｃの表示部３０に表示される。
【００４９】
［ユーザ故障診断］
ユーザ故障診断は、一般ユーザが行う故障診断であって、その故障診断結果情報の内容は、後述するサービスマン故障診断における故障診断結果情報の内容に比べて制限されている。つまり、このユーザ故障診断では、現在発生中の異常で且つその異常レベルが高い異常のみが故障診断結果情報として出力される。このユーザ故障診断では、室内機１ａから送信される故障診断結果情報に係る異常コード（例えば、［Ａ１］（図５参照））がリモコン１ｃの表示部３０に表示されることにより、一般ユーザに故障要因となっている異常コードが報知される。
【００５０】
［サービスマン故障診断］
サービスマン故障診断は、空気調和機１の修理や点検を行うサービスマンが行う故障診断であって、その故障診断結果情報の内容は、上記したユーザ故障診断において出力される異常（現在発生中の異常で且つその異常レベルが高い異常）だけでなく、異常レベルが低い異常や過去発生した異常も故障診断結果情報として出力される。つまり、記憶部１２ａ及び２２ａに記憶される異常履歴の内容が故障診断結果情報として出力される。このサービスマン故障診断では、室内機１ａから送信される故障診断結果情報に係る異常コード（例えば、［Ａ１］（図６参照））がリモコン１ｃの表示部３０に表示されることにより、サービスマンに故障要因となっている異常コードが報知される。従って、現在発生中の異常が無い場合であっても、過去発生した異常（例えば、異常コード：Ａ５）が存在する場合には、このサービスマン故障診断では、リモコン１ｃの表示部３０に異常コード（Ａ５）が表示されるが、上記したユーザ故障診断では、リモコン１ｃの表示部３０に異常コード（Ａ５）が表示されない。
【００５１】
図７は、ユーザ故障診断及びサービスマン故障診断のフローチャートである。次に、図５〜図７を参照して、第１実施形態に係るユーザ故障診断及びサービスマン故障診断について詳細に説明する。
【００５２】
最初に、一般ユーザ又はサービスマンのリモコン１ｃの操作によって故障診断要求信号が送信されると（ステップＳ１１）、室内機１ａにおいて、当該故障診断要求信号を受信したか否かが判断される（ステップＳ２１）。上記したステップＳ１１における故障診断要求信号の送信される場合には、図５に示すように、終了／取消ボタン３１ｆを長押することによって第１の故障診断要求信号が送信される場合と、図６に示すように、メニューボタン３１ｄを長押することによって第２の故障診断要求信号が送信される場合とがある。
【００５３】
そして、室内機１ａにおいて、故障診断要求信号（第１又は第２の故障診断要求信号）を受信したと判断した場合は（ステップＳ２１：Ｙｅｓ）、当該信号が双方向リモコンから送信された信号か否かが判断される（ステップＳ２２）。この第１実施形態に係るリモコン１ｃは、室内機１ａと双方向通信可能なリモコンであるので（ステップＳ２２：Ｙｅｓ）、ユーザ故障診断を実行するかサービスマン故障診断を実行するか判断する（ステップＳ２３）。具体的には、ステップＳ２１において受信した故障診断要求信号が、ユーザ故障診断要求信号（第１の故障診断要求信号）か、又は、サービスマン故障診断要求信号（第２の故障診断要求信号）か否かを判断する。
【００５４】
当該故障診断要求信号が、ユーザ故障診断要求信号（第１の故障診断要求信号）の場合には（ステップＳ２３：Ｙｅｓ）、現在異常が発生しているか否かを判断する（ステップＳ２４）。現在異常が発生している状況であれば、図１に示すように、室内機１ａの前面に設けられる運転ＬＥＤ１０が点滅しているので、このステップＳ２４では、運転ＬＥＤ１０が点滅しているか否かを判断しているとも言える。
【００５５】
そして、現在異常が発生している場合（運転ＬＥＤ１０が点滅している場合）には（ステップＳ２４：Ｙｅｓ）、リモコン１ｃに送信するコードを、現在発生中の異常に係る異常コードとして（ステップＳ２５）、当該異常コードをリモコン１ｃに送信する（ステップＳ２６）。これに対して、現在異常が発生していない場合（運転ＬＥＤ１０が点滅していない場合）には（ステップＳ２４：Ｎｏ）、リモコン１ｃに送信するコードを、「異常なし」を示す正常コードとして（ステップＳ２７）、当該正常コードをリモコン１ｃに送信する（ステップＳ２６）。
【００５６】
一方、故障診断要求信号が、サービスマン故障診断要求信号（第２の故障診断要求信号）の場合には（ステップＳ２３：Ｎｏ）、リモコン１ｃに送信するコードを、現在発生中の異常に係る異常コード、過去発生した異常に係る異常コード、及び、これらの異常より異常レベルが低い異常に係る異常コード（記憶部１２ａ及び２２ａに記憶される異常履歴に係る全ての異常コード）として、当該リモコン１ｃに送信する（ステップＳ２８）。なお、現在及び過去において異常が発生していない場合には、「異常なし」を示す正常コードをリモコン１ｃに送信する。
【００５７】
そして、リモコン１ｃ側では、故障診断要求信号を送信した（ステップＳ１１）後、異常コードを受信したか否かが判断され（ステップＳ１２）、異常コードを受信した場合は（ステップＳ１２：Ｙｅｓ）、リモコン１ｃの表示部３０に異常コードを表示する（ステップＳ１３）。このようにして、ユーザ故障診断及びサービスマン故障診断が実行される。
【００５８】
［本実施形態の空気調和機の特徴］
本実施形態の空気調和機１には、以下のような特徴がある。
【００５９】
本実施形態の空気調和機１では、一般ユーザの操作に係る故障診断要求に基づいて出力される故障診断結果情報の内容を、サービスマンの操作に係る故障診断要求に基づいて出力される故障診断結果情報の内容より制限することによって、一般ユーザに対しては、不安を与えない程度の異常を報知することができると共に、サービスマンに対しては、上記異常に加えて、過去の異常などの詳細な情報を報知することができる。
【００６０】
また、本実施形態の空気調和機１では、リモコン１ｃから送信される故障診断要求信号が、第１の故障診断要求信号の場合には、現在発生中の異常内容のみを報知することができる。つまり、一般ユーザが第１の故障診断要求信号を送信するものとすれば、その一般ユーザに対して、現在発生中の異常内容のみを報知することができる。
【００６１】
また、本実施形態の空気調和機１では、異常発生時に点滅する運転ＬＥＤ１０を設けることにより、一般ユーザやサービスマンに対して室内機１ａにおいて異常が発生していることを報知することができる。これにより、一般ユーザは、第１の故障診断要求信号を送信することにより、現在発生中の異常のみを知ることができる。つまり、運転ＬＥＤ１０の点滅により室内機１ａの異常を認識した一般ユーザに対して、現在発生中の異常のみを報知することができる。
【００６２】
また、本実施形態の空気調和機１では、リモコン１ｃから送信される故障診断要求信号が、第２の故障診断要求信号の場合には、現在発生中の異常内容だけでなく、過去に発生した異常内容を報知することができる。つまり、サービスマンが第２の故障診断要求信号を送信するものとすれば、そのサービスマンに対して、現在発生中の異常内容、過去発生した異常内容、及び、異常レベルが低い異常内容という詳細な異常内容を報知することができる。
【００６３】
また、本実施形態の空気調和機１では、一般ユーザ及びサービスマンは、手元にあるリモコン１ｃに設けられる表示部によって故障診断結果情報（異常コード）を得ることができる。
【００６４】
また、本実施形態の空気調和機１では、故障診断要求信号に異常コードが含まれているので、室内機１ａにおいて現在発生中の異常内容と当該異常コードに係る異常内容との一致又は不一致を判断するだけで、一般ユーザ及びサービスマンに現在発生している異常内容を報知することができる。
【００６５】
また、本実施形態の空気調和機１では、室内機１ａと室外機１ｂとが通信可能に接続されているので、室内機１ａだけでなく室外機１ｂの故障診断も行うことができる。
【００６６】
（第２実施形態）
図８は、本発明の第２実施形態に係る空気調和機のブロック図である。図９は、ユーザ故障診断を実行するための操作方法及び故障診断結果情報の報知方法を示した図であり、図１０は、サービスマン故障診断を実行するための操作方法及び故障診断結果情報の報知方法を示した図である。以下、図８〜図１０を参照して、本発明の第２実施形態に係る空気調和機について詳細に説明する。なお、この第２実施形態では、異常コードをリモコン１ｃの表示部３０に表示することにより故障診断結果情報を報知した第１実施形態と異なり、リモコン２０１ｃのスピーカから故障診断結果情報を音声で出力する空気調和機２０１について説明する。この第２実施形態の空気調和機２０１では、リモコン２０１ｃ以外の構成は上記した第１実施形態の空気調和機１と同様であるので、その説明を適宜省略する。
【００６７】
リモコン２０１ｃは、図９に示すように、室内温度や設定温度等を表示する表示部２３０と、各種ボタンが配置された操作部２３１と、赤外線送受信部２３２と、スピーカ２３４とを備えている。この表示部２３０、操作部２３１、赤外線送受信部２３２及びスピーカ２３４は、リモコン２０１ｃの制御部２３３に接続されている。
【００６８】
本実施形態では、図９に示すように、終了／取消ボタン２３１ｆを長押することによって、当該リモコン２０１ｃからユーザ故障診断に係る信号（以下、第１の故障診断要求信号とする）が室内機１ａに送信されて、「ユーザ故障診断」が実行される。また、本実施形態では、図１０に示すように、メニューボタン２３１ｄを長押することによって表示される選択画面において、選択ボタン２３１ｇを押下することによりカーソルを「故障診断」を移動させ、決定ボタン２３１ｅにより「故障診断」を選択することによって、当該リモコン２０１ｃからサービスマン故障診断に係る信号（以下、第２の故障診断要求信号とする）が室内機１ａに送信されて、「サービスマン故障診断」が実行される。そして、「ユーザ故障診断」又は「サービスマン故障診断」が実行されると、故障診断結果情報に係る異常コード（図中では「Ａ１」）や正常コード（例えば、「００」）がスピーカ２３４から音声として出力される。
【００６９】
［ユーザ故障診断］
ユーザ故障診断は、一般ユーザが行う故障診断であって、その故障診断結果情報の内容は、後述するサービスマン故障診断における故障診断結果情報の内容に比べて制限されている。つまり、このユーザ故障診断では、現在発生中の異常で且つその異常レベルが高い異常のみが故障診断結果情報として出力される。このユーザ故障診断では、室内機から送信される故障診断結果情報に係る異常コード（例えば、「Ａ１」（図９参照））がリモコン２０１ｃのスピーカ２３４から音声により出力されることにより、一般ユーザに故障要因となっている異常コードが報知される。
【００７０】
［サービスマン故障診断］
サービスマン故障診断は、空気調和機の修理や点検を行うサービスマンが行う故障診断であって、その故障診断結果情報の内容は、上記したユーザ故障診断において出力される異常（現在発生中の異常で且つその異常レベルが高い異常）だけでなく、異常レベルが低い異常や過去発生した異常も故障診断結果情報として出力される。このサービスマン故障診断では、室内機から送信される故障診断結果情報に係る異常コード（例えば、「Ａ１」（図１０参照））がリモコン２０１ｃのスピーカ２３４から音声により出力されることにより、サービスマンに故障要因となっている異常コードが報知される。従って、現在発生中の異常が無い場合であっても、過去発生した異常（例えば、異常コード：Ａ５）が存在する場合には、このサービスマン故障診断では、リモコン２０１ｃのスピーカ２３４から異常コード（Ａ５）が出力されるが、上記したユーザ故障診断では、リモコン２０１ｃのスピーカ２３４から異常コード（Ａ５）が出力されない。
【００７１】
（第３実施形態）
図１１は、本発明の第３実施形態に係る空気調和機のブロック図である。図１２は、図１１に示した空気調和機のリモコンを示した正面図である。図１３は、ユーザ故障診断を実行するための操作方法及び故障診断結果情報の報知方法を示した図であり、図１４は、サービスマン故障診断を実行するための操作方法及び故障診断結果情報の報知方法を示した図である。以下、図１１〜図１４を参照して、本発明の第３実施形態に係る空気調和機について詳細に説明する。なお、この第３実施形態では、双方向リモコンを用いた第１及び第２実施形態と異なり、片方向リモコンを備えた空気調和機について説明する。この第３実施形態では、上記した第１及び第２実施形態と同様の部分については、その説明を適宜省略する。
【００７２】
この空気調和機３０１は、図１１に示すように、室内機３０１ａと、室外機３０１ｂと、室内機３０１ａと赤外線通信可能なリモコン３０１ｃとを備えている。そして、室内機３０１ａの前面には、運転ＬＥＤ３１０、及び、リモコン３０１ｃから送信される信号を受信する赤外線受信部３１１が設けられている。また、本実施形態の室内機３０１ａには、リモコン３０１ｃから送信される信号を受信したことを示すブザー音等を出力するスピーカ３１３が設けられている。この運転ＬＥＤ３１０、赤外線受信部３１１及びスピーカ３１３は、室内機３０１ａの各部の動作を制御する制御部３１２に接続されている。この制御部３１２は、室外機３０１ｂに設けられる制御部３２２に接続されている。
【００７３】
リモコン３０１ｃは、図１１及び図１２に示すように、室内温度や設定温度等を表示する表示部３３０と、各種ボタンが配置された操作部３３１と、赤外線送信部３３２とを備えている。この表示部３３０、操作部３３１、赤外線送信部３３２は、リモコン３０１ｃの制御部３３３に接続されている。
【００７４】
表示部３３０は、室内温度や設定温度の他、図１３及び図１４に示すように、「ユーザ故障診断」及び「サービスマン故障診断」のときに、故障診断要求信号と共に室内機３０１ａに送信される参照用異常コードが（図中では「Ａ５」）や正常コード（例えば、「００」）が表示される。
【００７５】
また、操作部３３１は、空気調和機３０１の運転及び停止を指示するための運転／停止ボタン３３１ａ，冷房及び暖房などの切り換えを行うための運転切換ボタン３３１ｂ，設定温度を変更するための設定温度変更ボタン３３１ｃ，取消ボタン３３１ｄ等を有している。
【００７６】
赤外線送信部３３２は、上記した室内機３０１ａの赤外線受信部３１１に対して片方向通信が可能であって、空気調和機３０１の各種動作を制御する信号を室内機３０１ａの赤外線受信部３１１に送信する機能を有している。
【００７７】
そして、本実施形態では、図１３に示すように、取消ボタン３１１ｄを長押することによって、室内機３０１ａに送信する参照用異常コードを選択する画面が表示される。ここで、設定温度変更ボタン３３１ｃを押下することによって選択された参照用異常コードがサービスマン故障診断に係る信号（以下、第１の故障診断要求信号とする）と共に室内機３０１ａに送信されて、「ユーザ故障診断」が実行される。また、本実施形態では、図１４に示すように、設定温度変更ボタン３３１ｃと、運転切換ボタン３３１ｂとを同時に押下することによって、室内機３０１ａに送信する参照用異常コードを選択する画面が表示される。ここで、設定温度変更ボタン３３１ｃを押下することによって選択された参照用異常コードがユーザ故障診断に係る信号（以下、第２の故障診断要求信号とする）と共に室内機３０１ａに送信されて、「サービスマン故障診断」が実行される。そして、「ユーザ故障診断」又は「サービスマン故障診断」が実行されると、故障診断結果情報が室内機３０１ａのスピーカ３１３からブザー音として出力される。
【００７８】
［ユーザ故障診断］
ユーザ故障診断は、一般ユーザが行う故障診断であって、その故障診断結果情報の内容は、後述するサービスマン故障診断における故障診断結果情報の内容に比べて制限されている。つまり、このユーザ故障診断では、現在発生中の異常で且つその異常レベルが高い異常のみが故障診断結果情報として出力される。このユーザ故障診断では、リモコン３０１ｃから送信される参照用異常コード（例えば、「Ａ５」（図１３参照））に係る異常と、現在発生中の異常とが一致する場合に限り、室内機３０１ａのスピーカ３１３からブザー音（長音）が出力される。
【００７９】
［サービスマン故障診断］
サービスマン故障診断は、空気調和機の修理や点検を行うサービスマンが行う故障診断であって、その故障診断結果情報の内容は、上記したユーザ故障診断において出力される異常（現在発生中の異常で且つその異常レベルが高い異常）だけでなく、異常レベルが低い異常や過去発生した異常も故障診断結果情報として出力される。このサービスマン故障診断では、リモコン３０１ｃから送信される参照用異常コード（例えば、「Ａ５」（図１４参照））に係る異常と、所定の異常（現在発生中の異常、過去発生した異常及び異常レベルが低い異常のいずれか）とが一致する場合に、室内機３０１ａのスピーカ３１３からブザー音（長音）が出力される。従って、現在発生中の異常が無い場合であっても、過去に発生した異常（例えば、異常コード：Ａ１）が存在する場合には、このサービスマン故障診断では、リモコン３０１ｃから参照用異常コード（Ａ１）が送信されたときにスピーカ３１３からブザー音（長音）が出力されるが、上記したユーザ故障診断では、リモコン３０１ｃから参照用異常コード（Ａ１）が送信されてもスピーカ３１３からブザー音は出力されない。
【００８０】
図１５は、ユーザ故障診断及びサービスマン故障診断のフローチャートである。次に、図１３〜図１５を参照して、第３実施形態に係るユーザ故障診断及びサービスマン故障診断について詳細に説明する。
【００８１】
最初に、一般ユーザ又はサービスマンのリモコン３０１ｃの操作によって故障診断要求信号及び参照用異常コードが送信されると（ステップＳ３１１）、室内機３０１ａにおいて、当該故障診断要求信号及び参照用異常コードを受信したか否かが判断される（ステップＳ３２１）。上記したステップＳ３１１における故障診断要求信号の送信される場合は、図１３に示すように、取消ボタン３１１ｄを長押することによって第１の故障診断要求信号が送信される場合と、図１４に示すように、設定温度変更ボタン（設定温度上昇ボタン及び設定温度下降ボタンの両ボタン）と運転切換ボタン３３１ｂとを同時に押下することによって第２の故障診断要求信号が送信される場合とがある。
【００８２】
そして、室内機３０１ａにおいて、故障診断要求信号（第１又は第２の故障診断要求信号）及び参照用異常コードを受信したと判断した場合は（ステップＳ３２１：Ｙｅｓ）、当該信号が片方向リモコン３０１ｃから送信された信号か否かが判断される（ステップＳ３２２）。この第３実施形態に係るリモコン３０１ｃは、室内機３０１ａに対して片方向通信可能なリモコンであるので（ステップＳ３２２：Ｙｅｓ）、ユーザ故障診断を実行するかサービスマン故障診断を実行するか判断する（ステップＳ３２３）。具体的には、ステップＳ３２１において受信した故障診断要求信号が、ユーザ故障診断要求信号（第１の故障診断要求信号）か、又は、サービスマン故障診断要求信号（第２の故障診断要求信号）か否かを判断する。
【００８３】
当該故障診断要求信号が、ユーザ故障診断要求信号（第１の故障診断要求信号）の場合には（ステップＳ３２３：Ｙｅｓ）、現在異常が発生しているか否かを判断する（ステップＳ３２４）。現在異常が発生している状況であれば、室内機３０１ａの前面に設けられる運転ＬＥＤ３１０が点滅しているので（図１参照）、このステップＳ３２４では、運転ＬＥＤ３１０が点滅しているか否かを判断しているとも言える。
【００８４】
そして、現在異常発生している場合（運転ＬＥＤ３１０が点滅している場合）には（ステップＳ３２４：Ｙｅｓ）、リモコン３０１ｃから送信された参照用異常コードと比較する異常コードを、現在発生中の異常に係る異常コードとして（ステップＳ３２５）、それらの異常コードが一致すればスピーカ３１３からブザー音（長音）を出力する（ステップＳ３２６）。これに対して、現在異常が発生していない場合（運転ＬＥＤ３１０が点滅していない場合）には（ステップＳ３２４：Ｎｏ）、リモコン３０１ｃから送信された参照用異常コードと比較する異常コードを、「異常なし」を示す正常コードとして（ステップＳ３２７）、それらの異常コードが一致すれば（リモコン３０１ｃから送信された参照用異常コードが正常コードの場合）、スピーカ３１３からブザー音（長音）を出力する。（ステップＳ３２６）。
【００８５】
一方、故障診断要求信号が、サービスマン故障診断要求信号（第２の故障診断要求信号）の場合には（ステップＳ３２３：Ｎｏ）、リモコン３０１ｃから送信された参照用異常コードと、所定の異常コード（現在発生中の異常に係る異常コード、過去発生した異常に係る異常コード、及び、これらの異常より異常レベルが低い異常に係る異常コードのいずれか）とが一致すればスピーカ３１３からブザー音（長音）を出力する（ステップＳ３２８）。このようにして、ユーザ故障診断及びサービスマン故障診断が実行される。
【００８６】
（第４実施形態）
図１６は、本発明の第４実施形態に係る空気調和機のブロック図である。図１７は、ユーザ故障診断を実行するための操作方法及び故障診断結果情報の報知方法を示した図であり、図１８は、サービスマン故障診断を実行するための操作方法及び故障診断結果情報の報知方法を示した図である。以下、図１６〜図１８を参照して、本発明の第４実施形態に係る空気調和機について詳細に説明する。なお、この第４実施形態では、室内機３０１ａのスピーカ３１３から出力されるブザー音により故障診断結果情報を報知した第３実施形態と異なり、故障診断結果情報を室内機４０１ａに設けた表示パネル４１３により出力する空気調和機４０１について説明する。この第４実施形態では、室内機４０１ａに表示パネル４１３を設けたこと以外は、上記した第３実施形態の空気調和機３０１と同様であるので、その説明を適宜省略する。
【００８７】
この空気調和機４０１は、図１６に示すように、室内機４０１ａと、室外機４０１ｂと、室内機４０１ａと赤外線通信可能なリモコン４０１ｃとを備えている。そして、室内機４０１ａの前面には、運転ＬＥＤ４１０、及び、リモコン４０１ｃから送信される信号を受信する赤外線受信部４１１が設けられている。また、本実施形態の室内機４０１ａには、複数並べて設置されたＬＥＤが発光して所定の文字や記号等が表示可能な表示パネル４１３が設けられている。この運転ＬＥＤ４１０、赤外線受信部４１１及び表示パネル４１３は、室内機４０１ａの各部の動作を制御する制御部４１２に接続されている。この制御部４１２は、室外機４０１ｂに設けられる制御部４２２に接続されている。
【００８８】
そして、本実施形態では、図１７に示すように、取消ボタン４３１ｄを長押することによって、室内機４０１ａに送信する参照用異常コードを選択する画面が表示される。ここで、設定温度変更ボタン４３１ｃを押下することによって選択された参照用異常コードがユーザ故障診断に係る信号（以下、第１の故障診断要求信号とする）と共に室内機４０１ａに送信されて、「ユーザ故障診断」が実行される。また、本実施形態では、図１８に示すように、設定温度変更ボタン４３１ｃと、運転切換ボタン４３１ｂとを同時に押下することによって、室内機４０１ａに送信する参照用異常コードを選択する画面が表示される。ここで、設定温度変更ボタン４３１ｃを押下することによって選択された参照用異常コードがサービスマン故障診断に係る信号（以下、第２の故障診断要求信号とする）と共に室内機４０１ａに送信されて、「サービスマン故障診断」が実行される。そして、「ユーザ故障診断」又は「サービスマン故障診断」が実行されると、故障診断結果情報が室内機４０１ａの表示パネル４１３が点滅することにより出力される。
【００８９】
［ユーザ故障診断］
ユーザ故障診断は、一般ユーザが行う故障診断であって、その故障診断結果情報の内容は、後述するサービスマン故障診断における故障診断結果情報の内容に比べて制限されている。つまり、このユーザ故障診断では、現在発生中の異常で且つその異常レベルが高い異常のみが故障診断結果情報として出力される。このユーザ故障診断では、リモコン４０１ｃから送信される参照用異常コード（例えば、「Ａ５」（図１７参照））に係る異常と、現在発生中の異常とが一致する場合に限り、室内機４０１ａの表示パネル４１３の各ＬＥＤが点滅する。
【００９０】
［サービスマン故障診断］
サービスマン故障診断は、空気調和機の修理や点検を行うサービスマンが行う故障診断であって、その故障診断結果情報の内容は、上記したユーザ故障診断において出力される異常（現在発生中の異常で且つその異常レベルが高い異常）だけでなく、異常レベルが低い異常や過去発生した異常も故障診断結果情報として出力される。このサービスマン故障診断では、リモコン４０１ｃから送信される参照用異常コード（例えば、「Ａ５」（図１８参照））に係る異常と、所定の異常（現在発生中の異常、過去発生した異常及び異常レベルが低い異常のいずれか）とが一致する場合に、室内機４０１ａの表示パネル４１３の各ＬＥＤが点滅する。従って、現在発生中の異常が無い場合であっても、過去発生した異常（例えば、異常コード：Ａ１）が存在する場合には、このサービスマン故障診断では、リモコン４０１ｃから参照用異常コード（Ａ１）が送信されたときに表示パネル４１３が点滅するが、上記したユーザ故障診断では、リモコン４０１ｃから参照用異常コード（Ａ１）が送信されても表示パネル４１３が点滅しない。
【００９１】
（第５実施形態）
図１９は、ユーザ故障診断を実行するための操作方法及び故障診断結果情報の報知方法を示した図であり、図２０は、サービスマン故障診断を実行するための操作方法及び故障診断結果情報の報知方法を示した図である。以下、図１９及び図２０を参照して、本発明の第５実施形態に係る空気調和機について詳細に説明する。なお、この第５実施形態では、片方向リモコン３０１ｃから故障診断要求信号及び参照用異常コードを送信した第３実施形態と異なり、故障診断要求信号を送信する（参照用異常コードを送信しない）片方向リモコン５０１ｃを備えた空気調和機について説明する。この第５実施形態では、参照用異常コードを送信しないこと以外は、上記した第３実施形態の空気調和機３０１と同様の構成を有するので、その説明を適宜省略する。
【００９２】
この第５実施形態では、図１９に示すように、取消ボタン５３１ｄを長押することによって、ユーザ故障診断に係る信号（以下、第１の故障診断要求信号とする）が室内機５０１ａに送信されて、「ユーザ故障診断」が実行される。また、本実施形態では、図２０に示すように、設定温度変更ボタン５３１ｃと、運転切換ボタン５３１ｂとを同時に押下することによって、サービスマン故障診断に係る信号（以下、第２の故障診断要求信号とする）が室内機５０１ａに送信されて、「サービスマン故障診断」が実行される。そして、「ユーザ故障診断」又は「サービスマン故障診断」が実行されると、故障診断結果情報に係る異常コード（図中では「Ａ１」）や正常コード（例えば、「００」）がスピーカ５１３から音声として出力される。
【００９３】
［ユーザ故障診断］
ユーザ故障診断は、一般ユーザが行う故障診断であって、その故障診断結果情報の内容は、後述するサービスマン故障診断における故障診断結果情報の内容に比べて制限されている。つまり、このユーザ故障診断では、現在発生中の異常で且つその異常レベルが高い異常のみが故障診断結果情報として出力される。このユーザ故障診断では、片方向リモコン５０１ｃから故障診断要求信号が送信されると、現在発生中の異常が存在する場合に限り、室内機５０１ａのスピーカ５１３から当該異常に係る異常コードがスピーカ５１３から出力される。
【００９４】
［サービスマン故障診断］
サービスマン故障診断は、空気調和機の修理や点検を行うサービスマンが行う故障診断であって、その故障診断結果情報の内容は、上記したユーザ故障診断において出力される異常（現在発生中の異常で且つその異常レベルが高い異常）だけでなく、異常レベルが低い異常や過去発生した異常も故障診断結果情報として出力される。このサービスマン故障診断では、片方向リモコン５０１ｃから故障診断要求信号が送信されると、現在発生中の異常、過去発生した異常、及び、異常レベルが低い異常に係る異常コードが順次スピーカ５１３から出力される。従って、現在発生中の異常が無い場合であっても、過去発生した異常（例えば、異常コード：Ａ１）が存在する場合には、このサービスマン故障診断では、スピーカ５１３から「Ａ１異常」と出力されるが、上記したユーザ故障診断では、スピーカ５１３から出力されない（若しくは、スピーカ５１３から「異常なし」と出力される）。
【００９５】
図２１は、ユーザ故障診断及びサービスマン故障診断のフローチャートである。次に、図１９〜図２１を参照して、第５実施形態に係るユーザ故障診断及びサービスマン故障診断について詳細に説明する。
【００９６】
最初に、一般ユーザ又はサービスマンのリモコン５０１ｃの操作によって故障診断要求信号（この第５実施形態では、参照用異常コードが送信されない）が送信されると（ステップＳ５１１）、室内機５０１ａにおいて、当該故障診断要求信号を受信したか否かが判断される（ステップＳ５２１）。上記したステップＳ５１１における故障診断要求信号の送信される場合は、図１９に示すように、取消ボタン５３１ｄを長押することによって第１の故障診断要求信号が送信される場合と、図２０に示すように、設定温度変更ボタン５３１ｃと運転切換ボタン５３１ｂとを同時に押下することによって第２の故障診断要求信号が送信される場合とである。
【００９７】
そして、室内機５０１ａにおいて、故障診断要求信号（第１又は第２の故障診断要求信号）を受信したと判断した場合は（ステップＳ５２１：Ｙｅｓ）、当該信号が片方向リモコン５０１ｃから送信された信号か否かが判断される（ステップＳ５２２）。この第５実施形態に係るリモコン５０１ｃは、室内機５０１ａに対して片方向通信可能なリモコンであるので（ステップＳ５２２：Ｙｅｓ）、ユーザ故障診断を実行するかサービスマン故障診断を実行するか判断する（ステップＳ５２３）。具体的には、ステップＳ５２１において受信した故障診断要求信号が、ユーザ故障診断要求信号（第１の故障診断要求信号）か、又は、サービスマン故障診断要求信号（第２の故障診断要求信号）か否かを判断する。
【００９８】
当該故障診断要求信号が、ユーザ故障診断要求信号（第１の故障診断要求信号）の場合には（ステップＳ５２３：Ｙｅｓ）、現在異常が発生しているか否かを判断する（ステップＳ５２４）。現在異常が発生している状況であれば、室内機５０１ａの前面に設けられる運転ＬＥＤが点滅しているので（図１参照）、このステップＳ５２４では、運転ＬＥＤが点滅しているか否かを判断しているとも言える。
【００９９】
そして、現在異常発生している場合（運転ＬＥＤが点滅している場合）には（ステップＳ５２４：Ｙｅｓ）、室内機５０１ａのスピーカ５１３から当該異常に係る異常コードを出力する（ステップＳ５２５）。これに対して、現在異常が発生していない場合（運転ＬＥＤが点灯している場合）には（ステップＳ５２４：Ｎｏ）、「異常なし」扱いとして、スピーカ５１３から出力しない。（ステップＳ５２６）。この際、スピーカ５１３から「異常なし」と出力してもよい。
【０１００】
一方、故障診断要求信号が、サービスマン故障診断要求信号（第２の故障診断要求信号）の場合には（ステップＳ５２３：Ｎｏ）、現在発生中の異常に係る異常コード、過去発生した異常に係る異常コード、及び、これらの異常より異常レベルが低い異常に係る異常コードが順次スピーカ５１３から出力される。このようにして、ユーザ故障診断及びサービスマン故障診断が実行される。
【０１０１】
（第６実施形態）
図２２は、ユーザ故障診断を実行するための操作方法及び故障診断結果情報の報知方法を示した図であり、図２３は、サービスマン故障診断を実行するための操作方法及び故障診断結果情報の報知方法を示した図である。以下、図２２及び図２３を参照して、本発明の第６実施形態に係る空気調和機について詳細に説明する。なお、この第６実施形態では、片方向リモコン４０１ｃから故障診断要求信号及び参照用異常コードを送信した第４実施形態と異なり、故障診断要求信号を送信する（参照用異常コードを送信しない）片方向リモコン６０１ｃを備えた空気調和機について説明する。また、第６実施形態に係る空気調和機は、表示パネル６１３に異常コードを表示する点で、上記したスピーカ５１３により異常コードを出力する第５実施形態に係る空気調和機とは異なっている。この第６実施形態では、参照用異常コードを送信しないこと以外は、上記した第４実施形態の空気調和機と同様の構成を有するので、その説明を適宜省略する。
【０１０２】
この第６実施形態では、図２２に示すように、取消ボタン６３１ｄを長押することによって、ユーザ故障診断に係る信号（以下、第１の故障診断要求信号とする）が室内機６０１ａに送信されて、「ユーザ故障診断」が実行される。また、本実施形態では、図２３に示すように、設定温度変更ボタン６３１ｃと、運転切換ボタン６３１ｂとを同時に押下することによって、サービスマン故障診断に係る信号（以下、第２の故障診断要求信号とする）が室内機６０１ａに送信されて、「サービスマン故障診断」が実行される。そして、「ユーザ故障診断」又は「サービスマン故障診断」が実行されると、故障診断結果情報に係る異常コード（図中では「Ａ５」）や正常コード（例えば、「００」）が室内機６０１ａに設けられる表示パネル６１３に表示される。
【０１０３】
［ユーザ故障診断］
ユーザ故障診断は、一般ユーザが行う故障診断であって、その故障診断結果情報の内容は、後述するサービスマン故障診断における故障診断結果情報の内容に比べて制限されている。つまり、このユーザ故障診断では、現在発生中の異常で且つその異常レベルが高い異常のみが故障診断結果情報として出力される。このユーザ故障診断では、片方向リモコン６０１ｃから故障診断要求信号が送信されると、現在発生中の異常が存在する場合に限り、室内機６０１ａの表示パネル６１３に異常コードが表示される。
【０１０４】
［サービスマン故障診断］
サービスマン故障診断は、空気調和機の修理や点検を行うサービスマンが行う故障診断であって、その故障診断結果情報の内容は、上記したユーザ故障診断において出力される異常（現在発生中の異常で且つその異常レベルが高い異常）だけでなく、異常レベルが低い異常や過去発生した異常も故障診断結果情報として出力される。このサービスマン故障診断では、片方向リモコン６０１ｃから故障診断要求信号が送信されると、現在発生中の異常、過去発生した異常、及び、異常レベルが低い異常に係る異常コードが順次表示パネル６１３に表示される（全ての異常を同時に表示しても良い）。従って、現在発生中の異常が無い場合であっても、過去発生した異常（例えば、異常コード：Ａ５）が存在する場合には、このサービスマン故障診断では、表示パネル６１３に「Ａ５」と表示されるが、上記したユーザ故障診断では、表示パネル６１３に何も表示されない（若しくは、表示パネル６１３に「異常なし」と表示される）。
【０１０５】
（第７実施形態）
図２４は、故障診断要求信号の切り換えをスイッチにより行うリモコンを示した斜視図である。次に、図２４を参照して、本発明の第７実施形態に係る空気調和機のリモコン７０１ｃについて説明する。
【０１０６】
第７実施形態に係るリモコン７０１ｃには、故障診断信号の切り換えを行うためのスイッチＳＷが設けられている。図２４（ａ）に示すように、このスイッチＳＷがリモコン７０１ｃの下部側に配置されている場合には、第１の故障診断要求信号が送信可能となり、図２４（ｂ）に示すように、スイッチＳＷがリモコン７０１ｃの上部側に配置されている場合には、第２の故障診断要求信号が送信可能となる。つまり、第７実施形態に係るリモコン７０１ｃは、ハード的に故障診断要求信号の種類を切り換えが行える点で、故障診断要求信号の種類の切り換えを操作部におけるボタンの操作によって行う第１〜第６実施形態に係るリモコン７０１ｃとは異なっている。
【０１０７】
（第８実施形態）
図２５は、ユーザ用リモコンとサービスマン用リモコンとブロック図である。次に、図２５を参照して、本発明の第８実施形態に係る空気調和機のリモコン８０１Ａ及び８０１Ｂについて説明する。
【０１０８】
第８実施形態では、第１の故障診断要求信号が送信可能な専用のユーザ用リモコン８０１Ａと、第２の故障診断要求信号が送信可能な専用のサービスマン用リモコン８０１Ｂとが別々に用意されている。具体的には、図２５（ａ）に示すユーザ用リモコン８０１Ａの記憶部８３４Ａには、ユーザ用リモコン８０１Ａであることを特定する識別子などの情報が記憶され、図２５（ｂ）に示すサービスマン用リモコン８０１Ｂの記憶部８３４Ｂには、サービスマン用リモコン８０１Ｂであることを特定する識別子などの情報が記憶されている。つまり、第８実施形態に係るリモコン８０１Ａ及び８０１Ｂは、ソフト的に故障診断要求信号の種類を切り換えが行える点で、故障診断要求信号の種類の切り換えを操作部におけるボタンの操作によって行う第１〜第６実施形態に係るリモコンとは異なっている。なお、記憶部には、揮発性のＲＡＭなどを用いることも可能であり、不揮発性のＥＥＰＲＯＭなどを用いることも可能である。
【０１０９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【産業上の利用可能性】
【０１１０】
本発明を利用すれば、一般ユーザに対して不安を与えないように異常を報知することが可能な室内機及び空気調和機を得ることができる。
【図面の簡単な説明】
【０１１１】
【図１】本発明の第１実施形態に係る空気調和機の全体構成を示した斜視図である。
【図２】図１に示した空気調和機のブロック図である。
【図３】図１に示した空気調和機の蓋部を閉じた状態のリモコンを示した正面図である。
【図４】図１に示した空気調和機の蓋部を開けた状態のリモコンを示した正面図である。
【図５】ユーザ故障診断を実行するための操作方法及び表示画面を示した図である。
【図６】サービスマン故障診断を実行するための操作方法及び表示画面を示した図である。
【図７】ユーザ故障診断及びサービスマン故障診断のフローチャートである。
【図８】本発明の第２実施形態に係る空気調和機のブロック図である。
【図９】ユーザ故障診断を実行するための操作方法及び故障診断結果情報の報知方法を示した図である。
【図１０】サービスマン故障診断を実行するための操作方法及び故障診断結果情報の報知方法を示した図である。
【図１１】本発明の第３実施形態に係る空気調和機のブロック図である。
【図１２】図１１に示した空気調和機のリモコンを示した正面図である。
【図１３】ユーザ故障診断を実行するための操作方法及び故障診断結果情報の報知方法を示した図である。
【図１４】サービスマン故障診断を実行するための操作方法及び故障診断結果情報の報知方法を示した図である。
【図１５】ユーザ故障診断及びサービスマン故障診断のフローチャートである。
【図１６】本発明の第４実施形態に係る空気調和機のブロック図である。
【図１７】ユーザ故障診断を実行するための操作方法及び故障診断結果情報の報知方法を示した図である。
【図１８】サービスマン故障診断を実行するための操作方法及び故障診断結果情報の報知方法を示した図である。
【図１９】本発明の第５実施形態に係るユーザ故障診断を実行するための操作方法及び故障診断結果情報の報知方法を示した図である。
【図２０】サービスマン故障診断を実行するための操作方法及び故障診断結果情報の報知方法を示した図である。
【図２１】ユーザ故障診断及びサービスマン故障診断のフローチャートである。
【図２２】本発明の第６実施形態に係るユーザ故障診断を実行するための操作方法及び故障診断結果情報の報知方法を示した図である。
【図２３】サービスマン故障診断を実行するための操作方法及び故障診断結果情報の報知方法を示した図である。
【図２４】本発明の第７実施形態に係る故障診断要求信号の切り換えをスイッチにより行うリモコンを示した斜視図である。
【図２５】本発明の第８実施形態に係るユーザ用リモコンとサービスマン用リモコンとブロック図である。
【符号の説明】
【０１１２】
１，２０１，３０１，４０１  空気調和機
１ａ，２０１ａ，３０１ａ，４０１ａ，５０１ａ，６０１ａ  室内機
１ｃ，２０１ｃ，３０１ｃ，４０１ｃ，５０１ｃ，６０１ｃ，７０１ｃ，８０１Ａ，８０１Ｂ  リモコン
１０，３１０，４１０  運転ＬＥＤ（異常報知手段）
１１  赤外線送受信部（受信手段）
３１１，４１１  赤外線受信部（受信手段）
３１３，５１３  スピーカ（出力手段、診断結果報知手段）
４１３，６１３  表示パネル（出力手段、診断結果報知手段）
３０  表示部（出力手段、診断結果報知手段）
２３４  スピーカ（出力手段、診断結果報知手段）
ＳＷ  スイッチ（指定手段）
８３４Ａ，８３４Ｂ  記憶部（指定手段）
【図１】
2010121869.tif 000003
【図２】
2010121869.tif 000004
【図３】
2010121869.tif 000005
【図４】
2010121869.tif 000006
【図５】
2010121869.tif 000007
【図６】
2010121869.tif 000008
【図７】
2010121869.tif 000009
【図８】
2010121869.tif 000010
【図９】
2010121869.tif 000011
【図１０】
2010121869.tif 000012
【図１１】
2010121869.tif 000013
【図１２】
2010121869.tif 000014
【図１３】
2010121869.tif 000015
【図１４】
2010121869.tif 000016
【図１５】
2010121869.tif 000017
【図１６】
2010121869.tif 000018
【図１７】
2010121869.tif 000019
【図１８】
2010121869.tif 000020
【図１９】
2010121869.tif 000021
【図２０】
2010121869.tif 000022
【図２１】
2010121869.tif 000023
【図２２】
2010121869.tif 000024
【図２３】
2010121869.tif 000025
【図２４】
2010121869.tif 000026
【図２５】
2010121869.tif 000027